(57)【特許請求の範囲】
【請求項１】
下型と上型を閉合して成形腔を形成し、該成形腔でコンクリートブロックを成形するコンクリートブロック成形装置において、上記下型は上記コンクリートブロックの上部（表出部）を成形する有底型であり、他方上記上型はコンクリートブロックの下部（控え部）を成形する型であり、更に上記下型と上型の上記閉合面間に介在保持されるインサート型を有し、該インサート型は上記閉合面から上記成形腔内へ突出してコンクリートブロックの外面に引き留め線材やアンカーボルト等の結合用の凹所を成形する凹所成形型を形成しており、上記上型に設けた頂部開口を介し上記成形腔内へコンクリートを充填して上記表出部と控え部を有するコンクリートブロックを成形すると共に、上記インサート型により上記コンクリートブロックの外面に上記結合用凹所を成形する構成としたことを特徴とするコンクリートブロック成形装置。
【請求項２】
下型と上型を閉合して成形腔を形成し、該成形腔でコンクリートブロックを成形するコンクリートブロック成形装置において、上記下型は上記コンクリートブロックの上部（表出部）を成形する有底型であり、他方上記上型はコンクリートブロックの下部（控え部）を成形する型であり、更に上記成形腔内に収置されてコンクリートが充填される袋型を備え、上記下型は該コンクリートが充填されて膨んだ袋型の下部外面を規制し、上記上型はコンクリートが充填されて膨んだ袋型の上部外面を規制し、上記袋型の袋口は上記上型に設けた頂部開口から外部へ突出されて上記袋型内へコンクリートを充填するコンクリート充填口を形成し、更に上記下型と上型の上記閉合面間に介在保持されるインサート型を有し、該インサート型は上記閉合面から上記成形腔内へ突出して上記袋型をコンクリートブロック内へ押し込んでコンクリートブロックの外面に引き留め線材やアンカーボルト等の結合用の凹所を成形する凹所成形型を形成しており、上記袋型のコンクリート充填口を介し上記成形腔内へコンクリートを充填して上記表出部と控え部を有するコンクリートブロックを成形すると共に、上記インサート型により上記コンクリートブロックの外面に上記結合用凹所を成形する構成としたことを特徴とするコンクリートブロック成形装置。
【請求項３】
上記インサート型は分割された複数の型部から成ることを特徴とする請求項１又は請求項２記載のコンクリートブロック成形装置。
【請求項４】
上記下型と上型は互いに閉合される下フランジと上フランジを有し、該下フランジと上フランジ間に上記インサート型を介在保持することを特徴とする請求項１又は請求項２記載のコンクリートブロック成形装置。
【請求項５】
上記下型は下フランジの外端に立ち上げた規制壁を有し、該規制壁にて上記上型の上フランジとインサート型を規制する構成としたことを特徴とする請求項４記載のコンクリートブロック成形装置。
【発明の詳細な説明】
【０００１】
【発明の属する技術分野】
本発明は河川や道路の傾斜面、平地面等の施工面の覆工に用いるコンクリートブロックの成形装置に関する。
【０００２】
【従来の技術】
特開平１１−３１０９３号等は傾斜面に積み上げた岩石又は玉石形状のコンクリートブロックから後方へ引き留め線材を延出して埋め込み、同ブロックの積み上げを保持する工法を教示しており、引き留め線材をコンクリートブロックに結合する手段として、同ブロックにドリル等で孔穿け加工し、該孔に接着材を注入して引き留め線材の端部を挿入し結合する方法を採っている。
【０００３】
又特開２０００−１９９２１４号等には網材に多数のコンクリートブロックをアンカーボルトによって結合し、該網材を以って施工面を覆工するようにした連鎖型ブロックを示しているが、このコンクリートブロックにおいてもアンカーボルト結合孔をドリル加工している。
【０００４】
上記各例示におけるコンクリートブロックは自然景観と外観醸成のため、表出部と埋め込み部（控え部）が何れも立体付形された岩石形状又は玉石形状をしたものを用いている。
【０００５】
然しながら上記何れの例においても、施工面に積み上げられる多数のブロックにドリルにて孔穿け加工する作業に、多大な時間と労働負担を強いられ、工費アップの原因となっている。
【０００６】
又ドリルによる衝撃にてブロックに割れを発生する問題、更には作業者によって孔穿けの深さ等にばらつきがあり、それが結合強度の信頼性を低下せしめる問題を有している。
【０００７】
他方上記上部と下部が立体付形された形状の自然岩形状、或いは玉石形状のコンクリートブロックは、特開平４−３４４２０８号等に示すように、ブロック成形型を下型と上型に分割し、両型を閉合して成形腔を形成し、該成形腔でコンクリートブロックに立体付形する成形法が採られている。
【０００８】
然しながら上記分割型を用いた場合でも、上型に充分な開口径を有するコンクリート充填口を設けなければならないから、結果としてこのコンクリート充填口の開口面に面するブロックの外面はフラットにならざるを得ず、コンクリートブロックの表出部と埋め込み部（控え部）の立体付形は困難である。
【０００９】
【発明が解決しようとする課題】
本発明は上記何れの問題も適切に解決するコンクリートブロックの成形装置を提供するものである。即ちコンクリートブロックを上型と下型による分割型により立体付形しつつ、該ブロックの外面に上記引き留め線材やアンカーボルトを結合する孔や溝を容易且つ健全に付与できるコンクリートブロックの成形装置を提供するものである。
【００１０】
加えて上型と下型による分割型によりコンクリートブロックの上記立体付形を行いつつ、該上型と下型による立体付形不全を解消するコンクリートブロックの成形装置を提供するものである。
【００１１】
【課題を解決するための手段】
本発明は下型と上型を閉合して成形腔を形成し、該成形腔でコンクリートブロックを成形する成形装置であり、上記下型と上型の上記閉合面間に介在保持されるインサート型を備え、該インサート型を上記閉合面から上記成形腔内へ突出せしめてコンクリートブロックの外面に凹所を成形し、該凹所を前記引き留め線材やアンカーボルト等の結合用凹所として供するコンクリートブロック成形装置である。よって上記インサート型は凹所成形型を形成している。
【００１２】
このコンクリートブロックは上型と下型により立体付形されつつ健全なる結合用凹所を形成し、該結合用凹所の形成が容易で量産可能である。
【００１３】
又他例として上記成形腔内に収置されてコンクリートが充填される袋型を備え、上記下型は該コンクリートが充填されて膨んだ袋型の下部外面を規制すると共に、上記上型はコンクリートが充填されて膨んだ袋型の上部外面を規制する。
【００１４】
同時に上記袋型の袋口は上記上型の開口部から外部へ突出されて上記袋型内へコンクリートを充填するコンクリート充填口を形成している。
【００１５】
更に上記下型と上型の上記閉合面間に介在保持されるインサート型を有し、該インサート型は上記閉合面から上記成形腔内へ突出して上記袋型をコンクリートブロック内へ押し込んでコンクリートブロックの外面に凹所を成形し、該凹所を前記引き留め線材やアンカーボルト等の結合用凹所として供するコンクリートブロック成形装置である。よって上記インサート型は凹所成形型を形成している。
【００１６】
この成形装置は上型と下型によりコンクリートブロックの表出部と控え部全体を立体付形しつつ健全なる結合用凹所を形成し、該結合用凹所の形成が容易で量産可能である。加えて袋型により上型と下型による立体付形不全を適切に解消する。
【００１７】
上記発明は上記成形腔内に収置されてコンクリートが充填される袋型を備え、上記下型は該コンクリートが充填されて膨んだ袋型の下部外面を規制し、上記上型はコンクリートが充填されて膨んだ袋型の上部外面を規制し、上記袋型の袋口は上記上型の開口部から外部へ突出され、該袋口を通じて上記袋型内へのコンクリート充填がなされるコンクリートブロック成形装置を開示しており、上記例示の立体付形効果を享受し、該立体付形が適切になされることにより、控え部に結合用凹所を形成する場合の同凹所の健全なる形成を可能とする。
【００１８】
上記インサート型は分割された複数の型部にて形成し、脱型を容易にすると共に、例えば結合用凹所をブロック控え部の周面に環状に形成した環状溝にて形成する場合、該溝の成形を容易にする。
【００１９】
上記下型と上型は互いに閉合される下フランジと上フランジを有し、該下フランジと上フランジ間に上記インサート型を介在保持する。
【００２０】
上記下型には下フランジの外端に立ち上げた規制壁を設け、該規制壁にて上記上型の上フランジとインサート型を規制して上型と下型とインサート型の位置合わせを適切にする。
【００２１】
【発明の実施の形態】
以下本発明に係るコンクリートブロック４の成形装置の実施の形態を図１乃至図９に基づき説明する。
【００２２】
上記成形装置は図１乃至図５等に示すように、互いに分割された下型１と上型２を有し、該下型１と上型２を閉合して成形腔３を形成し、上型２の頂部に形成された頂部開口１２を介してコンクリートを充填し、該成形腔３でコンクリートブロック４を成形する成形装置である。
【００２３】
上記下型１はコンクリートブロック４の上部（表出部４′）を成形する型であり、即ち脱型の関係上同ブロック４の中間最大径部から同上部を成形する型であり、略半球形、即ち半円球形又は半楕円球形を呈し、上面において開放された上部開口１０を有する有底型である。
【００２４】
他方上記上型２はコンクリートブロック４の下部（控え部４″）を成形する型であり、即ち脱型の関係上同ブロック４の中間最大径部から同下部を成形する型であり、上記下型１の開口１０と略同径の下部開口１１を有し、頂部に頂部開口１２を有する短筒形の型である。
【００２５】
上記下型１と上型２の上記上部開口１０と下部開口１１を閉合する上記閉合面間に介在保持されるインサート型５を備え、図６，図７に示すように、該インサート型５は上記閉合面から上記成形腔３内へ突出して成形腔３内の流動性を有するコンクリートブロック４の外面に食い込み、溝や孔から成る凹所６を成形し、該凹所６を前記引き留め線材やアンカーボルト等の結合用凹所６として供する。よって上記インサート型５は溝や孔等の各種形状の凹所を付形する凹所成形型を形成している。
【００２６】
上記インサート型５は下型１と上型２間の閉合面間に介在保持される基板部１７と該基板部１７に連設された凹所成形部１８とを有する。
【００２７】
図９に示すように、上記インサート型５によって成形される上記結合用凹所６をコンクリートブロック４の中間最大径部より小径の控え部４″に形成し、該結合用凹所６を該控え部４″の周面に形成された環状溝６′とする。
【００２８】
一例として、この環状溝６′に前記引き留め線材７の先端に折曲形成した引き留め輪８又は引き留め板を嵌合し、ブロック４に引き留め線材７を結合する。
【００２９】
又この結合用凹所６を非環状の溝にし、溝に上記引き留め線材７等の引留具を広結合面積を以って嵌合し、又は嵌合した上で接着材を以って強固に結合できる。
【００３０】
上記コンクリートブロック４は上型２と下型１により立体付形されつつ健全なる結合用凹所６を形成し、該結合用凹所６の形成が容易で量産可能である。
【００３１】
他例として図７，図８に示すように、上記成形腔３内に収置されてコンクリートが充填されてコンクリートブロック４が成形される袋型９を備え、上記下型１は該コンクリートが充填されて膨んだ袋型９の下部外面を規制すると共に、上記上型２はコンクリートが充填されて膨んだ袋型９の上部外面を規制する。
【００３２】
同時に上記袋型９の袋口１３は上記上型２の頂部開口１２から外部へ突出されて上記袋型９内へコンクリートを充填するコンクリート充填口を形成している。コンクリートは上型２の頂部開口１２を介して成形腔３内へ充填される。
【００３３】
上記袋型９は繊維を編み組みした織布から成る柔軟性と伸縮性（膨張性）を有する袋にて形成し、網目による通水構造を付与する。又は上記袋型９は合成樹脂フィルムや金属フィルムにて袋型９を形成する。これら袋型９は何れも柔軟性を有し、変形可能である。
【００３４】
上記袋型９はコンクリートの充填によって内圧が加わって膨らみ、上記成形腔３の内面、即ち下型１と上型２の内面による規制下でこれに密着する。殊に上記織布から成る袋型９はその編み組み構造によって自ら膨張し、容積を増大して下型１と上型２の内面に密着する。よってより小さな容積の袋型９を使用して、より大断面積のブロック４の成形が容易に行える。
【００３５】
更に図７に示すように、上記下型１と上型２の上記閉合面間に介在保持されるインサート型５を有し、該インサート型５は上記閉合面から上記成形腔３内へ突出して上記袋型９をコンクリートブロック４内へ押し込んでコンクリートブロック４の外面に凹所６を成形し、該凹所６を前記引き留め線材７やアンカーボルト等の結合用凹所等として供する。よって上記インサート型５は袋型９と協働して健全な凹所６を形成する凹所成形型を形成している。
【００３６】
上記成形装置は上型２と下型１によりコンクリートブロック４の表出部４′と控え部４″全体を立体付形しつつ健全なる結合用凹所６を形成し、該結合用凹所６の形成が容易で量産可能である。加えて袋型９により上型２と下型１による立体付形不全を適切に解消する。
【００３７】
上記図７に示す例示はその主要な構成である下型１及び上型２と協働する袋型９により、コンクリートブロック４を立体付形する思想を含んでいる。
【００３８】
即ち図８に示すように、上記下型１と上型２の閉合により形成される成形腔３内に収置されてコンクリートが充填されてコンクリートブロック４を成形する袋型９を備え、上記下型１は該コンクリートが充填されて膨み、コンクリートブロック４の表出部４′を成形する袋型９の下部外面を規制し、上記上型２はコンクリート４′が充填されて膨み、コンクリートブロック４の控え部４″を成形する袋型９の上部外面を規制し、上記袋型９の袋口１３は上記上型２の頂部開口１２から外部へ突出され、該袋口１３を通じて上記袋型９内へのコンクリート充填がなされるコンクリートブロック成形装置を開示している。
【００３９】
これにより上記例示のコンクリートブロック４への立体付形効果を享受し、結合用凹所を形成する場合の同凹所６の健全なる形成を可能とする。
【００４０】
上記インサート型５は分割された複数の型部にて形成し、脱型を容易にする。例えば結合用凹所６を環状溝６′等の溝にて形成する場合、該溝の成形を容易にする。
【００４１】
例えば図４，図５は上記インサート型５によって環状溝６′を形成する場合を例示し、このインサート型５を平板にて形成し、該インサート型５はその外周部に下型１と上型２間の閉合面間に介在保持される基板部１７を有し、該基板部１７から同一平面上へ連設された凹所成形部１８、即ち凹所成形板部を有する。
【００４２】
図４，図５に示すように、上記インサート型５は複数の平板形の分割型５′から成り、これら分割型５′を環状且つ同一平面に配してその基板部１７を上記下型１と上型２の閉合面間に介在し保持する。この凹所成形部１８はコンクリートブロック４の外面に前記した環状溝６′を成形する。
【００４３】
上記下型１と上型２は互いに閉合される下フランジ１４と上フランジ１５を有し、該下フランジ１４と上フランジ１５間に上記インサート型５の基板部１７を介在保持する。
【００４４】
インサート型５は例えば上記の通りの基板部１７と凹所成形部１８とを有する平板形の型であり、該平板形のインサート型５を上記下フランジ１４と上フランジ１５間に挟持し、その前縁部（内縁部）を成形腔３内に突出せしめ、該前縁部と同形の溝をブロック４に成形する。
【００４５】
上記下型１には下フランジ１４の外端に立ち上げた規制壁１６を環状等に設け、該規制壁１６の内側に上記上型２とインサート型５を嵌合し、該規制壁１６にて上記上型２の上フランジ１５とインサート型５の基板部１７を規制して上型２と下型１とインサート型５の位置合わせを適切にする。
【００４６】
又上記分割されたインサート型５の基板部１７と下型１の下フランジ１４とは夫々に設けた凹と凸とによって嵌合する。例えばインサート型５の基板部１７に位置決め孔１９を設けると共に、上記下型１の下フランジ１４に該位置決め孔１９内へ嵌合する突部２０を設け、両者１９，２０の嵌合によりインサート型５を形成する各分割型５′を位置決めし、且つ嵌合の方向性を設定する。
【００４７】
後記するように上記位置決め孔１９は成形されたコンクリートブロック４からインサート型５を脱型する（引き抜く）時の取手を兼ねる。
【００４８】
又図１乃至図４に示すように、上記下型１と上型２の閉合状態を締結して保持するためのクリップ２１を備える。該クリップ２１は既知のＵ形クリップを用い、該Ｕ形クリップ２１を下形２と上型１の四辺に配し、該Ｕ形クリップ２１の基端を下形１の下フランジ１４に設けた貫通孔に回動可に取り付け、該Ｕ形クリップ２１を内方へ回動することにより、上型２の上フランジ１５の外面に係合して下型１と上型２、又は下型１と上型２とインサート型５とを締め付け閉合を保持する。逆に上記Ｕ形クリップ２１を外方へ回動することにより、上記締め付け係合を解除する。
【００４９】
図６乃至図８に従いコンクリートブロック４を成形し、一定の硬化度に達した後、上記Ｕ形クリップ２１を外方へ回動して上記型締めを解除し、貫通孔より抜去する。そして先ず上型２を脱型し、次に反転して下型１を脱型し、コンクリートブロック４を開放する。
【００５０】
図６，図７においてはこのコンクリートブロック４に上記インサート型５が食い付いている状態であるが、このインサート型５は前記の通り位置決め孔１９を有しており、この位置決め孔１９に手指を差し入れインサート型５をブロック４から引き抜く。従って位置決め孔１９はインサート型５の脱型時の取手を形成している。この位置決め孔１９を前記突部２０と協働させずに（突部２０を設けずに）、同孔１９のみを設け、これを取手とすることができる。
【００５１】
例えば上記下型１と上型２とインサート型５の夫々は合成樹脂にて一体成形したものを用いる。又図１乃至図８においては上記下型１と上型２が単数である場合、即ちブロック一個取りの場合を例示したが、これをブロック複数個取りにする場合を含むことは勿論である。例えば前記した下型１を横方向に連設すると共に、上記上型２を横方向に連設し、この連設下型に連設上型を被せ、図６乃至図８で説明した成形法を採ることができる。
【００５２】
又下型１を横方向に連設して連設下型を形成し、上型２は連設せずに分離した複数個の上型を連設下型の個々の下型に被せて、図６乃至図８で説明した成形法を採ることができる。
【００５３】
【発明の効果】
上記成形装置によれば、上型と下型によりコンクリートブロックの表出部と控え部を立体付形しつつ、健全なる凹所の形成を可能とし、該凹所の形成が容易で量産性が確保できコストダウンを達成できる。
【００５４】
加えて袋型により上型と下型によるコンクリートブロックの表出部と控え部の立体付形不全を適切に解消し、控え部に対する凹所の成形目的を適切に達成できる。
【図面の簡単な説明】
【図１】コンクリートブロック成形装置の平面図。
【図２】同成形装置の短幅部の縦断面図。
【図３】同成形装置の長幅部の縦断面図。
【図４】図１において上型を除去しインサート型を表示した上記成形装置の平面図。
【図５】図４におけるＡ−Ａ線断面図。
【図６】袋型を用いずにコンクリートブロックの外面に凹所を形成する場合を例示する成形装置の断面図。
【図７】袋型を用いコンクリートブロックの外面に凹所を形成する場合を例示する成形装置の断面図。
【図８】袋型を用い上記コンクリートブロックを立体付形する場合を例示する成形装置の断面図。
【図９】上記コンクリートブロックに引き留め線材を結合した状態を示す斜視図。
【符号の説明】
１…下型、２…上型、３…成形腔、４…コンクリートブロック、４′…表出部、４″…控え部、５…インサート型、５′…分割型、６…凹所、６′…環状溝、７…引き留め線材、８…引き留め輪、９…袋型、１０…下型の上部開口、１１…上型の下部開口、１２…上型の頂部開口、１３…袋型の袋口、１４…下型の下フランジ、１５…上型の上フランジ、１６…規制壁、１７…インサート型の基板部、１８…インサート型の凹所成形部、１９…位置決め孔、２０…位置決め突部、２１…上型と下型の締結クリップ
【図１】
0003599702.tif 000002
【図２】
0003599702.tif 000003
【図３】
0003599702.tif 000004
【図４】
0003599702.tif 000005
【図５】
0003599702.tif 000006
【図６】
0003599702.tif 000007
【図７】
0003599702.tif 000008
【図８】
0003599702.tif 000009
【図９】
0003599702.tif 000010